(57)【要約】【課題】  プリンタの前段に据付し、印刷用紙をロール紙の状態固定保持し、プリンタの印刷タイミングで印刷用紙供給を行う用紙前処理装置のロール固定を、ロール紙固定用シャフトの突起部材で効果的に固定保持すること。また、簡便で信頼性の高い手法で実現する。【解決手段】  連続紙でなる印刷用紙を外周上に巻き重ねたロール紙の芯部内径に、圧接移動可能に設けた複数個の突起部材と、複数個の突起部材に隣接しエアー圧力の供給を受けた時に膨圧し突起部材をロール紙芯部内径部に圧接させるチューブと、複数個のチューブにエアーを供給するエアー路と、外部とエアー路を密封し遮断する弁と、駆動源から動力を受けロール紙支持シャフトに回転動力を伝達するギャとを備え、プリンタの前段でプリンタの印刷タイミングに同期し、ロール紙からなる印刷用紙をプリンタに自動供給する用紙前後処理装置において、ロール紙と同条件で突起部材領域に干渉する補助部材をロール紙と同時に挿入し、ロール紙固定をする。【選択図】図１
2005089168.tif 000002
【特許請求の範囲】
【請求項１】
連続紙でなる印刷用紙を外周上に巻き重ねたロール紙の芯部内径に、圧接移動可能に設けた複数個の突起部材と、複数個の突起部材に隣接しエアー圧力の供給を受けた時に膨圧し突起部材をロール紙芯部内径部に圧接させるチューブと、複数個のチューブにエアーを供給するエアー路と、外部とエアー路を密封し遮断する弁と、駆動源から動力を受けロール紙支持シャフトに回転動力を伝達するギャとを備え、プリンタの前段でプリンタの印刷タイミングに同期し、ロール紙からなる印刷用紙をプリンタに自動供給する用紙前後処理装置において、
ロール紙と同条件で突起部材領域に干渉する補助部材をロール紙と同時に挿入し、ロール紙を固定することを特徴としたプリンタの用紙前後処理装置。
【発明の詳細な説明】
【技術分野】
【０００１】
本発明は、プリンタの前段に接続し、印刷用紙をロール紙により供給する前後処理装置に関するものである。
【背景技術】
【０００２】
連続紙プリンタを使用するユーザは、印刷速度の高速化、大量出力業務化に伴い、連続紙を大量に巻き重ねたロール紙を取り付けた前処理装置をプリンタ前段に接続し、長時間印刷を可能にして出力業務の効率化を図っている。
【０００３】
前処理装置にロール紙を装着する時、ロール紙の芯部となる紙管内径に、ロール紙支持シャフトを挿入する。ロール紙支持シャフトは、一方にプリンタ印刷に同期したタイミングで、駆動源から回転動力を得るためのギャを配し、他方に回転自在な軸受けを設けている。
【０００４】
ロール紙支持シャフトにロール紙を固定する際は、ロール芯部となる紙管内径の円周上の領域に複数個の突起部材を圧接して固定する。ロール紙が寿命になり新しいロール紙と交換するため、ロール紙をシャフトから外す際には、紙管内径領域に圧接する複数個の突起部材を圧接から開放して取り外す。ロール紙支持シャフトの突起部材には伸縮可能なチューブが隣接させてあり、ロール紙固定時はエアー圧を送圧しチューブを膨圧させ突起部材を紙管内径部に圧接させロール紙支持シャフトに固定する。ロール紙取り外し時は、チューブ内のエアー圧を外部に排出し、チューブを収縮させ突起部材を圧接から開放し、ロール紙支持シャフトからロール紙を開放、引き抜き可能にする。チューブへのエアー送圧は、ロール紙支持シャフト端部に備えた密封用弁を有するエアー口から、前処理装置内に装備されたコンプレッサを使用して行う。一方エアーを排出する場合は、エアー口から弁の押圧してチューブ内のエアーを開放する。エアー口と複数個の各チューブとは、ロール紙支持ャフト内部に配管されたエアー路で繋がっている。印刷時は上記説明したロール紙支持シャフトにロール紙を固定後、前処理装置に装着してプリンタの印刷タイミングに合わせた印刷用紙自動供給を行い、長時間の連続印刷が行われる。
【０００５】
ロール紙支持シャフトの突起部材長さはユーザで使用する用紙の最大サイズ幅（１８インチ等）に対応した仕様で構成されるが、国内では、この最大幅より狭いサイズ（１５インチ）のロール紙が主流である。突起部材長さより短い幅のロール紙を使用する場合、ロール紙支持シャフトの突起部材と紙管が圧接する領域と、突起部材と紙管が圧接しない領域ができる。このため、突起部材上では、ロール紙から受ける荷重の境目ができ、不均一な負荷条件になる。
【０００６】
この条件で長時間使用されると、不均一な荷重条件による応力集中が予想され、紙管に圧接する突起部材面では磨耗の早期進行が考えられる。特に、国内においてはプリンタの印刷条件として間歇印刷が多いため、プリンタの印刷タイミングに同期してロール紙を起動停止する回数が多いのでロール紙支持シャフトの突起部材には、繰り返しの過大負荷がかかる事になる。
【発明の開示】
【発明が解決しようとする課題】
【０００７】
本発明の目的は、プリンタに接続する前処理装置のロール紙固定構成を、簡便な手法で安定した固定をする事、また、安定固定により、信頼性の高い前処理装置を提供する事である。
【課題を解決するための手段】
【０００８】
上記目的は、ロール紙幅に影響されず一定の条件で、ロール紙をロール紙支持シャフトに固定する事。ロール紙非固定領域に、ロール紙と同条件の負荷を付与することで達成される。
【発明の効果】
【０００９】
本発明によれば、ロール紙支持シャフトでロール紙を固定する用紙前後処理装置の突起部材に均一な負荷がかかるようにしたので、前記突起部材、及びチューブなど関連部材の寿命延長が期待できる。また、ロール紙使用後の紙管を流用可能にしたので、適用が容易で、原価的にも安価に実現できる。
【発明を実施するための最良の形態】
【００１０】
本発明の実施例を図１、図２より説明する。
【実施例】
【００１１】
プリンタの印刷用紙になる連続紙を紙管４外周上に巻き重ねたロール紙３は、用紙セット位置をプリンタとの位置に合わせるストッパ１０に端部を突き当てた位置でロール紙支持シャフト２に固定後、ロール紙支持シャフト２の一方の端部に固定されたギャ９により、駆動源から回転動力を得て、プリンタの印刷に同期したタイミングで、プリンタへの印刷用紙自動供給を行う。軸受け１１、１２は、ロール紙支持シャフト２を前処理装置の筐体１３、１４に回転自在に支持する軸受けである。
【００１２】
ロール紙３はロール紙支持シャフト２の円周方向に、等角度間隔で配設された複数個の突起部材５を、紙管４の内径ｂに圧接させ固定する。突起部材５にはそれぞれ伸張材でなるチューブ６が隣接していて、ロール紙３を固定する時は、装置内に配備されたコンプレッサーの圧力エアーを、ロール紙支持シャフト２端部の弁８から充填し、エアー路７を経由して各チューブ６に送圧する。圧力エアーを送圧されたチューブ６は、膨圧作用により高さＭを増して、突起部材５を所定の圧力で押し上げるので、突起部材５が紙管４の内径ｂに圧接して、ロール紙３を固定する。
【００１３】
ロール紙３が寿命になり交換する場合は、弁８から各チューブ６のエアーを排出して突起部材５の圧接状態から紙管４を開放する。チューブ６からエアー圧を排出すると、チューブ６は収縮し高さＭが小さくなるので、ロール紙支持シャフト２と紙管４内径ｂ間に隙間ができ、ロール紙支持シャフト２からロール紙３をスムーズに引き抜くことができる。
【００１４】
ロール紙支持シャフト２の突起部材５の長さＬ１は、適用するロール紙３の最大サイズ（１８インチ等）に対応する仕様で構成されるが、国内では、この最大幅より狭いサイズ（１５インチ）のロール紙３を主に使用している。図１は、突起部材５の長さＬ１に対し  ロール紙３幅の狭いサイズの例、幅Ｌ２を示す。突起部材５の長さＬ１よりロール紙３の幅Ｌ２が短いので、紙管４に圧接しない突起部材５の領域ができ、突起部材５の受ける荷重に境ができ、不均一な荷重条件になる。
【００１５】
補助部材１は、上記説明した不均一な荷重条件を改善するため補助部材１で、長さＬ３を、ほぼＬ１−Ｌ２＝Ｌ３の関係にして、ロール紙支持シャフト２に挿入する。突起部材５との圧接関係はロール紙３の紙管４と同じ条件にする。
この結果、紙管４の内径ｂと圧接する突起部材５間は、均一な負荷条件になるので、負荷の不均衡に影響した磨耗を改善できる。
【図面の簡単な説明】
【００１６】
【図１】本発明となる用紙前後処理装置の正面図。
【図２】本発明となる用紙前後処理装置の部分断面図。
【図３】本発明となる用紙前後処理装置の概略図。
【符号の説明】
【００１７】
１は補助部材、２はロール支持シャフト、３はロール紙、４は紙管、５は突起部材、６はチューブ、７はエアー路、８は弁、９はギャ、１０はストッパ、１１、１２は軸受、１３、１４は筐体、１５〜１７はローラ、１８は用紙前後処理装置、Ｌ１は長さ、Ｌ２は幅Ｌ３は長さ、ａは外径、ｂは内径、ｃは外径、ｄ、ｅは方向、Ｍは高さである。
【図１】
2005089168.tif 000003
【図２】
2005089168.tif 000004
【図３】
2005089168.tif 000005